(57)【要約】【課題】  受信者側の着信状況に応じた応答保留メッセージを発信者側に迅速に通知する移動体通信端末装置を提供する。【解決手段】  移動体通信端末装置の具備する記憶部（２）に、応答保留メッセージを設定登録し、応答保留モードに設定する。このとき、複数の応答保留メッセージの中から１つの応答保留メッセージを選択し、記憶部（２）に設定登録する。そして、発信者側からの着信時に、応答保留メッセージが表示部（３）に表示され、操作部（１）を介して、受信者側の着信状況に応じた応答保留メッセージが選択設定されると、その選択設定された応答保留メッセージが、発信者側に音声データとして通知される。また、応答保留モードに移行してから所定の時間が経過しても、応答保留メッセージの選択操作が行われない場合は、事前に選択設定した応答保留メッセージが発信者側に音声データとして通知される。【選択図】  図１
2005039750.tif 000002
【特許請求の範囲】
【請求項１】
複数の応答保留メッセージを登録するメッセージ登録手段と、
前記メッセージ登録手段により登録された応答保留メッセージの中から、着信相手に通知する応答保留メッセージを選択する応答保留メッセージ選択手段と、
前記応答保留メッセージ選択手段により選択された応答保留メッセージを着信相手に通知する応答保留メッセージ通知手段と、
前記応答保留メッセージ選択手段により、第１の応答保留メッセージを選択し、該選択した第１の応答保留メッセージを予め設定登録する応答保留メッセージ事前登録手段と、を有する移動体通信端末装置であって、
前記応答保留メッセージ通知手段は、
通話時に、前記応答保留メッセージ選択手段により、前記応答保留メッセージが選択されない場合には、前記応答保留メッセージ事前登録手段により設定登録された第１の応答保留メッセージを着信相手に通知することを特徴とする移動体通信端末装置。
【請求項２】
前記メッセージ登録手段は、
前記応答保留メッセージの内容を割り付ける割付情報を、前記応答保留メッセージに付与して登録し、
前記応答保留メッセージ選択手段は、前記割付情報を選択することで、前記複数の応答保留メッセージの中から前記着信相手に通知する応答保留メッセージを選択することを特徴とする請求項１記載の移動体通信端末装置。
【請求項３】
前記メッセージ登録手段により登録された応答保留メッセージを表示する応答保留メッセージ表示手段を更に有し、
前記応答保留メッセージ選択手段は、前記応答保留メッセージ表示手段に表示された複数の応答保留メッセージの中から前記着信相手に通知する応答保留メッセージを選択することを特徴とする請求項１または２記載の移動体通信端末装置。
【請求項４】
前記応答保留メッセージ通知手段は、
前記応答保留メッセージを音声情報として通知することを特徴とする請求項１記載の移動体通信端末装置。
【請求項５】
前記応答保留メッセージ通知手段は、
前記応答保留メッセージをメールにて通知することを特徴とする請求項１記載の移動体通信端末装置。
【請求項６】
前記応答保留メッセージ通知手段は、
一度、着信相手との通信回線を切断した後に、前記応答保留メッセージをメールにて通知することを特徴とする請求項５記載の移動体通信端末装置。
【請求項７】
前記応答保留メッセージ、または、前記第１の応答保留メッセージを着信相手に通知した後に、前記着信相手との通信回線を維持しつつ、該着信相手からの応答を音声情報にて取得し、該取得した着信相手からの応答を文字情報として表示する応答情報表示手段を更に有することを特徴とする請求項１から４の何れか１項に記載の移動体通信端末装置。
【請求項８】
前記メッセージ登録手段により登録された応答保留メッセージの順番を設定する応答保留メッセージ順番設定手段を更に有し、
前記応答保留メッセージ順番設定手段は、
前記応答保留メッセージ選択手段により選択された前記応答保留メッセージの選択回数に応じて前記応答保留メッセージの順番を設定することを特徴とする請求項１から３の何れか１項に記載の移動体通信端末装置。
【請求項９】
複数の応答保留メッセージを記憶部に登録するメッセージ登録手段と、
前記メッセージ登録手段により前記記憶部に登録された応答保留メッセージの中から、着信相手に通知する応答保留メッセージを選択する応答保留メッセージ選択手段と、
前記応答保留メッセージ選択手段により選択された応答保留メッセージを着信相手に通知する応答保留メッセージ通知手段と、
前記応答保留メッセージ選択手段により、第１の応答保留メッセージを選択し、該選択した第１の応答保留メッセージを予め前記記憶部に設定登録する応答保留メッセージ事前登録手段と、制御手段と、を有する移動体通信端末装置において実行される応答保留メッセージ送信プログラムであって、
通話時に、前記応答保留メッセージ選択手段により、前記応答保留メッセージが選択されない場合には、前記応答保留メッセージ通知手段が、前記応答保留メッセージ事前登録手段により前記記憶部に設定登録された第１の応答保留メッセージを着信相手に通知させる処理を、前記制御手段に実行させることを特徴とする応答保留メッセージ送信プログラム。
【請求項１０】
前記メッセージ登録手段が、前記応答保留メッセージの内容を割り付ける割付情報を、前記応答保留メッセージに付与して前記記憶部に登録する処理と、
前記応答保留メッセージ選択手段が、前記割付情報を選択することで、前記複数の応答保留メッセージの中から前記着信相手に通知する応答保留メッセージを前記記憶部から選択する処理と、を前記制御手段に実行させることを特徴とする請求項９記載の応答保留メッセージ送信プログラム。
【請求項１１】
前記メッセージ登録手段により前記記憶部に登録された応答保留メッセージを表示する応答保留メッセージ表示手段を更に有し、
前記応答保留メッセージ選択手段が、前記応答保留メッセージ表示手段に表示された複数の応答保留メッセージの中から前記着信相手に通知する応答保留メッセージを選択させる処理を、前記制御手段に実行させることを特徴とする請求項９または１０記載の応答保留メッセージ送信プログラム。
【請求項１２】
前記応答保留メッセージ通知手段に、前記応答保留メッセージを音声情報として通知させる処理を前記制御手段に実行させることを特徴とする請求項９記載の応答保留メッセージ送信プログラム。
【請求項１３】
前記応答保留メッセージ通知手段に、一度、着信相手との通信回線を切断した後に、前記応答保留メッセージをメールにて通知させる処理を前記制御手段に実行させることを特徴とする請求項９記載の応答保留メッセージ送信プログラム。
【請求項１４】
前記応答保留メッセージ、または、前記第１の応答保留メッセージを着信相手に通知した後に、前記着信相手との通信回線を維持しつつ、該着信相手からの応答を音声情報にて取得し、該取得した着信相手からの応答を文字情報として表示する応答情報表示処理を前記制御手段に実行させることを特徴とする請求項９から１２の何れか１項に記載の応答保留メッセージ送信プログラム。
【請求項１５】
前記メッセージ登録手段により前記記憶部に登録された応答保留メッセージの順番を設定する応答保留メッセージ順番設定処理を前記制御手段に更に実行させ、
前記応答保留メッセージ順番設定処理は、
前記応答保留メッセージ選択手段により前記記憶部から選択された前記応答保留メッセージの選択回数に応じて前記応答保留メッセージの順番が設定されることを特徴とする請求項９から１１の何れか１項に記載の応答保留メッセージ送信プログラム。
【発明の詳細な説明】
【技術分野】
【０００１】
本発明は、携帯電話機等の移動体通信端末装置に関し、特に、発信者側の通信装置との通信回線が接続状態の際に、応答保留メッセージを発信者側の通信装置に通知する移動体通信端末装置および応答保留メッセージ送信プログラムに関する。
【背景技術】
【０００２】
携帯電話機やＰＤＡ等の移動体通信端末装置は、電波の届く範囲内において外部の通信機器との間で通信処理を行うため、移動時の通信処理が可能となる。このため、移動体通信端末装置を保持している利用者との連絡がとり易く、また、利用者への緊急な要件等も迅速に伝えることが可能なことから、移動体通信端末装置は現在の生活において有用な通信手段となっている。
【０００３】
しかしながら、携帯電話機等の移動体通信端末装置は、発信者側の都合等でいつかかってくるのかわからない。このため、電話をかけられた受信者側は、会議中、乗車中などの様々な事情により電話に出られない場合もあり、発信者側は、受信者側が電話にでられない状況を把握することができず、その後の対応の迅速性にも欠けることとなる。このため、従来から様々な発明がなされていた。
【０００４】
例えば、本発明より先に出願された技術文献として、携帯電話機本体が着信信号を受信すると、その携帯電話機本体と通信処理が可能な副装置に対して、着信信号を受信した旨を通知し、副装置から応答信号が携帯電話機本体に通知されることで、携帯電話機本体内に予め用意されていた１つのメッセージを発信先に通知し、着信応答を行う携帯型無線通信装置がある（例えば、特許文献１参照）。
【０００５】
また、無線送信装置から送信される制御情報を受信する手段と、発信相手へのメッセージを生成、記憶、送出する手段と、動作モードを自動的に選択する手段と、を有し、着信の際に、予め生成、記憶した発信相手へのメッセージを、着信相手に送信する携帯電話装置がある（例えば、特許文献２参照）。
【０００６】
また、複数の返答メッセージを記憶装置に予め登録しておき、電話の着信時に、記憶装置に登録した返答メッセージを利用することで、利用者が声を発することなく、種々の返答メッセージを送信することが可能となる携帯電話機があり、この返答メッセージの送信方法として、ディスプレイ上に表示された複数の返答メッセージの中からユーザが選択して送信する選択的機械返答と、相手や着信時刻等の電話着信の条件に応じて予め設定された返答メッセージを自動送信する自動的機械返答がある（例えば、特許文献３参照）。
【特許文献１】特開２００１―２１８２６９号公報
【特許文献２】特開２００１−２５０６２号公報
【特許文献３】特開２０００−３２１２２号公報
【発明の開示】
【発明が解決しようとする課題】
【０００７】
従来の移動体通信端末装置（特許文献１、特許文献２）は、着信時の応答保留は、予め移動体通信端末装置に設定された応答保留メッセージが自動的に発信者側に送信される仕組みとなっていることから、利用者の着信時の状況に対応した応答保留を発信者側に通知できない場合も考えられる。また、特許文献３には、移動体通信端末装置内に設定された応答保留メッセージによる返答の場合に、予め設定された応答保留メッセージを自動的に送信するか、または、利用者の選択操作により応答保留メッセージを送信するか、を着信時に決定することが可能な旨が記載されており、利用者の着信時の状況に対応した応答保留メッセージを発信者側に通知できることとなるが、応答保留メッセージを自動的に送信するか、または、選択して送信するか、を着信時にどのように決定するかについては何ら示唆されていない。
【０００８】
本発明は、上記事情に鑑みてなされたものであり、受信者側の着信状況に応じた応答保留メッセージを発信者側に迅速に通知する移動体通信端末装置および応答保留メッセージ送信プログラムを提供することを目的とする。
【課題を解決するための手段】
【０００９】
かかる目的を達成するために、本発明は以下の特徴を有する。
【００１０】
請求項１記載の発明は、複数の応答保留メッセージを登録するメッセージ登録手段と、メッセージ登録手段により登録された応答保留メッセージの中から、着信相手に通知する応答保留メッセージを選択する応答保留メッセージ選択手段と、応答保留メッセージ選択手段により選択された応答保留メッセージを着信相手に通知する応答保留メッセージ通知手段と、応答保留メッセージ選択手段により、第１の応答保留メッセージを選択し、該選択した第１の応答保留メッセージを予め設定登録する応答保留メッセージ事前登録手段と、を有する移動体通信端末装置であって、応答保留メッセージ通知手段は、通話時に、応答保留メッセージ選択手段により、応答保留メッセージが選択されない場合には、応答保留メッセージ事前登録手段により設定登録された第１の応答保留メッセージを着信相手に通知することを特徴とする。
【００１１】
請求項２記載の発明は、請求項１記載の移動体通信端末装置において、メッセージ登録手段は、応答保留メッセージの内容を割り付ける割付情報を、応答保留メッセージに付与して登録し、応答保留メッセージ選択手段は、割付情報を選択することで、複数の応答保留メッセージの中から着信相手に通知する応答保留メッセージを選択することを特徴とする。
【００１２】
請求項３記載の発明は、請求項１または２記載の移動体通信端末装置において、メッセージ登録手段により登録された応答保留メッセージを表示する応答保留メッセージ表示手段を更に有し、応答保留メッセージ選択手段は、応答保留メッセージ表示手段に表示された複数の応答保留メッセージの中から着信相手に通知する応答保留メッセージを選択することを特徴とする。
【００１３】
請求項４記載の発明は、請求項１記載の移動体通信端末装置において、応答保留メッセージ通知手段は、応答保留メッセージを音声情報として通知することを特徴とする。
【００１４】
請求項５記載の発明は、請求項１記載の移動体通信端末装置において、応答保留メッセージ通知手段は、応答保留メッセージをメールにて通知することを特徴とする。
【００１５】
請求項６記載の発明は、請求項５記載の移動体通信端末装置において、応答保留メッセージ通知手段は、一度、着信相手との通信回線を切断した後に、応答保留メッセージをメールにて通知することを特徴とする。
【００１６】
請求項７記載の発明は、請求項１から４の何れか１項に記載の移動体通信端末装置において、応答保留メッセージ、または、第１の応答保留メッセージを着信相手に通知した後に、着信相手との通信回線を維持しつつ、該着信相手からの応答を音声情報にて取得し、該取得した着信相手からの応答を文字情報として表示する応答情報表示手段を更に有することを特徴とする。
【００１７】
請求項８記載の発明は、請求項１から３の何れか１項に記載の移動体通信端末装置において、メッセージ登録手段により登録された応答保留メッセージの順番を設定する応答保留メッセージ順番設定手段を更に有し、応答保留メッセージ順番設定手段は、応答保留メッセージ選択手段により選択された応答保留メッセージの選択回数に応じて応答保留メッセージの順番を設定することを特徴とする。
【００１８】
請求項９記載の発明は、複数の応答保留メッセージを記憶部に登録するメッセージ登録手段と、メッセージ登録手段により記憶部に登録された応答保留メッセージの中から、着信相手に通知する応答保留メッセージを選択する応答保留メッセージ選択手段と、応答保留メッセージ選択手段により選択された応答保留メッセージを着信相手に通知する応答保留メッセージ通知手段と、応答保留メッセージ選択手段により、第１の応答保留メッセージを選択し、該選択した第１の応答保留メッセージを予め記憶部に設定登録する応答保留メッセージ事前登録手段と、制御手段と、を有する移動体通信端末装置において実行される応答保留メッセージ送信プログラムであって、通話時に、応答保留メッセージ選択手段により、応答保留メッセージが選択されない場合には、応答保留メッセージ通知手段が、応答保留メッセージ事前登録手段により記憶部に設定登録された第１の応答保留メッセージを着信相手に通知させる処理を、制御手段に実行させることを特徴とする。
【００１９】
請求項１０記載の発明は、請求項９記載の応答保留メッセージ送信プログラムにおいて、メッセージ登録手段が、応答保留メッセージの内容を割り付ける割付情報を、応答保留メッセージに付与して記憶部に登録する処理と、応答保留メッセージ選択手段が、割付情報を選択することで、複数の応答保留メッセージの中から着信相手に通知する応答保留メッセージを記憶部から選択する処理と、を制御手段に実行させることを特徴とする。
【００２０】
請求項１１記載の発明は、請求項９または１０記載の応答保留メッセージ送信プログラムにおいて、メッセージ登録手段により記憶部に登録された応答保留メッセージを表示する応答保留メッセージ表示手段を更に有し、応答保留メッセージ選択手段が、応答保留メッセージ表示手段に表示された複数の応答保留メッセージの中から着信相手に通知する応答保留メッセージを選択させる処理を、制御手段に実行させることを特徴とする。
【００２１】
請求項１２記載の発明は、請求項９記載の応答保留メッセージ送信プログラムにおいて、応答保留メッセージ通知手段に、応答保留メッセージを音声情報として通知させる処理を制御手段に実行させることを特徴とする。
【００２２】
請求項１３記載の発明は、請求項９記載の応答保留メッセージ送信プログラムにおいて、応答保留メッセージ通知手段に、一度、着信相手との通信回線を切断した後に、応答保留メッセージをメールにて通知させる処理を制御手段に実行させることを特徴とする。
【００２３】
請求項１４記載の発明は、請求項９から１２の何れか１項に記載の応答保留メッセージ送信プログラムにおいて、応答保留メッセージ、または、第１の応答保留メッセージを着信相手に通知した後に、着信相手との通信回線を維持しつつ、該着信相手からの応答を音声情報にて取得し、該取得した着信相手からの応答を文字情報として表示する応答情報表示処理を制御手段に実行させることを特徴とする。
【００２４】
請求項１５記載の発明は、請求項９から１１の何れか１項に記載の応答保留メッセージ送信プログラムにおいて、メッセージ登録手段により記憶部に登録された応答保留メッセージの順番を設定する応答保留メッセージ順番設定処理を制御手段に更に実行させ、応答保留メッセージ順番設定処理は、応答保留メッセージ選択手段により記憶部から選択された応答保留メッセージの選択回数に応じて応答保留メッセージの順番が設定されることを特徴とする。
【発明の効果】
【００２５】
本発明にかかる移動体通信端末装置および応答保留メッセージ送信プログラムは、電車や、会議等の場所において、移動体通信端末装置に着信があった際に、着信者側が、電話に出られない状況に応じた応答保留メッセージを発信者側に通知することが可能となるため、発信者側は、着信者側の電話に出られない状況を把握することが可能となり、その後の着信者側への対応も迅速に行うことが可能となる。
【発明を実施するための最良の形態】
【００２６】
まず、利用者は、移動体通信端末装置の具備する記憶部に、応答保留メッセージを設定登録し、操作部を操作して、応答保留モードに設定する。このとき、利用者は、複数の応答保留メッセージの中から１つの応答保留メッセージを選択し、着信時の応答保留の予備的な応答保留メッセージとして設定しておくこととする。そして、発信者側からの着信時に、移動体通信端末装置が応答保留モードに移行し、応答保留メッセージが表示部に表示されることとなる。そして、操作部を介して応答保留メッセージが選択設定されると、その選択設定した応答保留メッセージが、発信者側に音声データとして通知されることとなる。また、応答保留モードに移行してから所定の時間が経過しても、応答保留メッセージの選択操作が行われない場合には、事前に選択設定した応答保留メッセージが、発信者側に音声データとして通知されることとなる。これにより、移動体通信端末装置に着信があった際に、着信者側の電話に出られない状況に応じた応答保留メッセージを、発信者側に通知することが可能となる。また、予め応答保留メッセージを番号と共に設定登録しておくことで、着信時に、その設定登録された応答保留メッセージの候補が番号と共に表示部に表示され、着信者は、応答保留メッセージの候補の中から番号にて選択できることになる。
【実施例１】
【００２７】
まず、図１を参照しながら、第１の実施例における移動体通信端末装置の構成について説明する。
【００２８】
第１の実施例における移動体通信端末装置は、操作部（１）と、記憶部（２）と、表示部（３）と、制御部（４）と、音声処理部（５）と、マイク（６）と、スピーカ部（７）と、無線部（８）と、無線アンテナ（９）と、を有して構成されている。
【００２９】
操作部（１）は、移動体通信端末装置における各種の処理を設定操作するものであり、例えば、記憶部（２）に、各種情報を設定登録したり、表示部（４）に表示された各種情報を選択したり、切り替えたりする際の操作を行うこととなる。
【００３０】
記憶部（２）は、各種情報を格納するためのものであり、本実施例では、図２に示すような、応答保留のメッセージ内容が設定登録されることとなる。
【００３１】
表示部（３）は、各種情報を表示するものであり、本実施例では、図３に示す情報等が表示されることとなる。
【００３２】
制御部（４）は、移動体通信端末装置の内部処理を制御するためのものであり、音声処理部（５）は、デジタル信号を音声帯域のアナログ信号に変換してスピーカ部（７）に送信したり、音声帯域のアナログ信号をデジタル信号に変換したりするものである。なお、本実施例では、マイク（６）から入力された音声データを、表示部（３）に表示可能な文字データに変換したり、操作部（１）の操作で入力された文字データを、音声データに変換したりする処理を行うこととなる。
【００３３】
マイク（６）は、音声データを入力するものであり、本実施例では、図２に示す、応答保留のメッセージを作成する際に音声データを入力することとなる。
【００３４】
スピーカ部（７）は、着信時に発する着信音、発信者側の音声などの各種音情報を出力するものであり、本実施例では、発信者側から取得した音声データを、音声処理部（５）にて音声帯域のアナログ信号に変換し、その変換した信号をスピーカ部（７）から出力したり、図２に示す、応答保留のメッセージをスピーカ部（７）から出力したりすることとなる。
【００３５】
無線部（８）は、制御部（４）からの信号を、無線アンテナ（９）を介して外部の通信装置に送信したり、外部の通信装置からの信号を、無線アンテナ（９）を介して受信して制御部（４）に出力したりするものである。
【００３６】
次に、上記構成からなる移動体通信端末装置の処理動作について説明する。
【００３７】
（応答保留メッセージの登録方法）
まず、移動体通信端末装置の具備する記憶部（２）に応答保留メッセージを設定登録する際の処理動作について説明する。なお、応答保留メッセージの登録方法は、音声にて応答保留メッセージを記憶部（２）に設定登録する方法と、文字にて応答保留メッセージを記憶部（２）に設定登録する方法と、がある。以下、図４、図５を参照しながら、応答保留メッセージの登録方法について説明する。
【００３８】
（音声にて応答保留メッセージを記憶部（２）に設定登録）
まず、図４を参照しながら、音声にて応答保留メッセージを登録する方法について説明する。
【００３９】
音声にて応答保留メッセージを記憶部（２）に設定登録するには、まず、操作部（１）を用いて、応答保留メッセージの作成モードに切り替える。そして、音声にて応答保留メッセージを作成するモードに操作部（１）を用いて設定させ（ステップＳ１）、所定の時間の範囲内においてマイク（６）を介して入力された応答保留メッセージを一次的に記憶部（２）に登録する（ステップＳ２）。このとき、マイク（６）を介して入力された音声は、音声処理部（５）で音声データに変換され、制御部（４）により、記憶部（２）に一次的に登録されることとなる。また、記憶部（２）に一次的に登録された音声データは、文字データとして、表示部（３）に表示されることとなる。
【００４０】
次に、その一次的に記憶部（２）に登録した応答保留メッセージを記憶部に設定登録するか否かを操作部（１）を用いて設定し、操作部（１）からの操作により、応答保留メッセージを設定登録すると制御部（４）が判定した場合は（ステップＳ３／ＹＥＳ）、その応答保留メッセージを記憶部（２）に設定登録することとなる（ステップＳ４）。また、操作部（１）からの操作により、応答メッセージを設定登録しないと制御部（４）が判定した場合は（ステップＳ３／ＮＯ）、その応答保留メッセージを記憶部（２）に設定登録せずに、応答保留メッセージの作成モードを終了することになる。なお、上記ステップＳ２において、記憶部（２）に一次的に登録された音声データをスピーカ（７）を介して出力させ、この音声データを登録者が聞いた後に、記憶部（２）に設定登録させるか否かを操作部（１）を用いて設定させることも可能である。
【００４１】
（文字にて応答保留メッセージを記憶部（２）に設定登録）
次に、図５を参照しながら、文字にて応答保留メッセージを登録する方法について説明する。
【００４２】
文字にて応答保留メッセージを記憶部（２）に設定登録するには、まず、操作部（１）を用いて、応答保留メッセージの作成モードに切り替える。そして、文字にて応答保留メッセージを作成するように操作部（１）を用いて設定し（ステップＳ１０）、操作部（１）を用いて文字を入力し、その入力された文字データが記憶部（２）に一次的に登録されることとなる（ステップＳ１１）。
【００４３】
このとき、操作部（１）により入力された文字データは、表示部（３）に表示されることとなり、その一次的に記憶部（２）に登録した応答保留メッセージを記憶部（２）に設定登録するか否かを操作部（１）を用いて設定し、操作部（１）からの操作により、応答保留メッセージを設定登録すると制御部（４）が判定した場合は（ステップＳ１２／ＹＥＳ）、その応答保留メッセージを記憶部（２）に設定登録することとなる（ステップＳ１３）。また、操作部（１）からの操作により、応答メッセージを設定登録しないと制御部（４）が判定した場合は（ステップＳ１２／ＮＯ）、その応答保留メッセージを記憶部（２）に設定登録せず、応答保留メッセージの作成モードを終了することになる。
【００４４】
なお、図４、図５を基に説明した上記の応答保留のメッセージの登録方法は、一例であり、記憶部（２）に、応答保留メッセージが設定登録されれば、その登録方法については、特に限定せず、公知の登録方法を用いて設定登録することが可能である。なお、本実施例における記憶部（２）に設定登録された応答保留メッセージは、図２に示すように、管理テーブルを用いて管理されることとなる。
【００４５】
なお、図２に示す応答保留メッセージは、各応答内容にキーが割り付けられて設定登録されることとなる。なお、この応答保留メッセージは、利用者の使用頻度の高い順にキーを割り付けるようにすることも可能である。例えば、記憶部（２）に設定登録された応答保留メッセージに対して、その応答保留メッセージの使用頻度を示す使用情報（例えば数字）を付加して登録する。そして、制御部（４）が、その使用情報を基に使用頻度の高い順に、記憶部（２）に設定登録された応答保留メッセージを更新する。これにより、利用者の使用頻度の高い応答保留メッセージを上位のキーに割り付けることが可能となり、その使用頻度の高い応答保留メッセージが、着信時に優先的に表示部（３）に表示されることとなる。これにより、利用者が使用頻度の高い応答保留メッセージを簡易に設定することが可能となる。
【００４６】
次に、図６を参照しながら、着信時における応答保留メッセージの通知処理について説明する。
【００４７】
まず、利用者は、上述した応答保留メッセージの登録方法により、移動体通信端末装置の具備する記憶部（２）に、応答保留メッセージを設定登録する。そして、利用者は、操作部（１）のダイヤルキーを操作して、応答保留モードに設定する（ステップＳ２０）。このとき、利用者は、記憶部（２）に設定登録した応答保留メッセージの中から１つの応答保留メッセージを選択し、着信時の応答保留の予備的な応答保留メッセージとして予め設定しておくこととする。
【００４８】
まず、利用者の保持する移動体通信端末装置に、発信者側の通信装置からの着信があった際に（ステップＳ２１／ＹＥＳ）、制御部（４）は、移動体通信端末装置が応答保留モードに設定されているか否を判定し、応答保留モードに設定されていると判定した場合は、制御部（４）が、応答保留モードへの移行処理を行い、図３に示すような画面を表示部（３）に表示させることになる（ステップＳ２２）。
【００４９】
このとき、制御部（４）は、図７に示すように、移動体通信端末装置の具備する操作部（１）の特定の操作ボタン（通話開始キー）以外を、応答保留モード用の操作ボタンに設定させる。これにより、応答保留モード用の操作ボタンを操作しても、発信者側の通信回線に接続されないことになる。
【００５０】
そして、発信者側の通信装置からの着信があった際に、その着信に対して利用者が応答できない場合には、利用者は表示部（３）に表示された図３に示す画面を参照しながら、操作部（１）の応答保留モード用の操作ボタンを操作して、着信時の状況に応じた応答保留メッセージに該当するキー番号を選択設定する。そして、キー番号の選択設定が完了したと制御部（４）が判定すると（ステップＳ２３／ＹＥＳ）、発信者側の通信装置との通信回線が接続され（ステップＳ２４）、その選択設定したキー番号に応じた応答保留メッセージが発信者側の通信装置に送信されることとなる（ステップＳ２５）。
【００５１】
このとき、キー番号に応じた応答保留メッセージに対応する音声情報が、発信者側の通信装置に送信されることになるが、送信される応答保留メッセージが、音声入力により作成されたメッセージである場合には、利用者の音声データが発信者側の通信装置に送信されることとなる。また、送信される応答保留メッセージが文字入力により作成されたメッセージである場合には、機械的な音声データが発信者側の通信装置に送信されることとなる。
【００５２】
また、移動体通信端末装置に着信があってから所定の時間が経過しても、操作部（１）からのキー番号の選択操作が行われないと制御部（４）が判定した場合は（ステップＳ２３／ＮＯ）、制御部（４）は、発信者側の通信装置との通信回線を自動的に接続させ（ステップＳ２６）、事前に選択設定した応答保留メッセージが発信者側の通信装置に送信されることとなる（ステップＳ２７）。
【００５３】
このように、移動体通信端末装置が応答保留モードに設定されている場合に、発信者側からの着信があると、移動体通信端末装置は、応答保留モードに移行し、応答保留メッセージが表示部に表示されることとなる。そして、操作部を介して応答保留メッセージが選択設定されると、該選択設定した応答保留メッセージが発信者側に音声データとして通知されることとなる。また、応答保留モードに移行してから所定の時間が経過しても、応答保留メッセージの選択操作が行われない場合には、事前に選択設定した応答保留メッセージが発信者側に音声データとして通知されることとなる。
【００５４】
これにより、利用者が電車に乗る場合や、会議等の際に、移動体通信端末装置を応答保留モードに設定しておくことで、移動体通信端末装置に着信があった際に、着信者側が、電話に出られない状況を、発信者側に応答保留メッセージとして通知することが可能となるため、発信者側は、着信者側の電話に出られない状況を把握することが可能となり、その後の着信者側への対応も迅速に行うことが可能となる。
【００５５】
なお、応答保留モードに移行した際に、発信者側と通話する場合は、図７に示す、応答保留モードに設定されていない特定の操作ボタン（通話開始キー）を、着信者側が操作することで、発信者側の通信装置との通信回線が接続され、発信者側との通話が可能となる。
【実施例２】
【００５６】
次に、第２の実施例について説明する。
第２の実施例の移動体通信端末装置は、応答保留メッセージをメールにて発信者側の通信装置に送信することを特徴とするものである。以下に、第２の実施例の移動体通信端末装置の構成について説明する。
【００５７】
第２の実施例の移動体通信端末装置は、図１に示す、第１の実施例の移動体通信端末装置と同様な構成にて構築されており、操作部（１）と、記憶部（２）と、制御部（３）と、表示部（４）と、音声処理部（５）と、マイク（６）と、スピーカ（７）と、無線部（８）と、無線アンテナ（９）と、を有して構成されている。なお、第２の実施例の移動体通信端末装置は、図２に示すような、応答保留のメッセージ内容が記憶部（２）に設定登録され、発信者側からの着信があった際に、制御部（４）が、応答保留のメッセージを記憶部（２）から取り出し、発信者側との接続回線を切断させた後に、その取り出した応答保留のメッセージをメールにて発信者側に送信することになる。このため、記憶部（２）には、発信者側の電話番号と共にメールアドレスが付与されて設定登録されていることになる。以下に、図８を参照しながら、第２の実施例における移動体通信端末装置の処理動作について説明する。
【００５８】
まず、利用者は、第１の実施例と同様の応答保留メッセージの登録方法により、移動体通信端末装置の具備する記憶部（２）に、応答保留メッセージを設定登録し、操作部（１）の操作により応答保留モードに設定する（ステップＳ３０）。このとき、利用者は、記憶部（２）に設定登録した応答保留メッセージの中から１つを選択し、着信時の応答保留の予備的な応答保留メッセージとして設定する。
【００５９】
次に、移動体通信端末装置に対して発信者側の通信装置からの着信があった際に（ステップＳ３１／ＹＥＳ）、制御部（４）は、応答保留モードに移行させ、図３に示すような画面を表示部（３）に表示させる（ステップＳ３２）。このとき、制御部（４）は、発信者側の電話番号が、記憶部（２）に設定登録されている電話番号に該当するか否かを判定し、記憶部（２）に設定登録されている電話番号に該当する場合には、その電話番号と共に設定登録されている発信者の情報が表示部（３）に表示されることとなる。これにより、利用者は、発信者側の電話番号に対して応答保留メッセージを送信できるか否かを把握することが可能となる。
【００６０】
そして、利用者が、表示部（３）に表示された発信者側の着信に応答できず、発信者側に対して応答保留メッセージを送信する場合には、利用者は表示部（２）に表示された図３に示す画面を参照しながら、操作部（１）の応答保留モード用の操作ボタンを操作して、着信時の状況に応じた応答保留メッセージに該当するキー番号を選択設定する。
【００６１】
そして、キー番号の選択設定が完了し（ステップＳ３３／ＹＥＳ）、所定の時間が経過して発信者側の通信装置との通信回線が切断された後に、上記設定したキー番号に応じた応答保留メッセージが発信者側の通信装置にメールにて送信されることとなる（ステップＳ３４）。
【００６２】
また、移動体通信端末装置に着信があってから所定の時間が経過しても、操作部（１）からのキー番号の選択操作が行われないと制御部（３）が判定した場合は（ステップＳ３３／ＮＯ）、制御部（３）は、発信者側の通信装置との通信回線が切断された後に、事前に選択設定した応答保留メッセージが発信者側の通信装置にメールにて送信されることとなる（ステップＳ３５）。
【００６３】
なお、発信者側の電話番号に対して応答保留メッセージが送信できない場合には、発信者側の通信装置との通信回線が接続された際に、通常の応答保留モードが行われ、発信者側の通信装置との通信回線が切断されることとなる。
【００６４】
このように、移動体通信端末装置が応答保留モードに設定されている場合に、発信者側からの着信があると、移動体通信端末装置は、応答保留モードに移行し、応答保留メッセージが表示部に表示されることとなる。そして、操作部を介して応答保留メッセージが選択設定されると、発信者側との通信回線が切断された後に、選択設定した応答保留メッセージが発信者側にメールにて通知されることとなる。また、応答保留モードに移行してから所定の時間が経過しても、応答保留メッセージの選択操作が行われない場合は、発信者側との通信回線が切断された後に、事前に選択設定した応答保留メッセージが発信者側にメールにて通知されることとなる。
【００６５】
これにより、利用者が電車に乗る場合や、会議等の際に移動体通信端末装置を応答保留モードに設定しておくことで、移動体通信端末装置に着信があった際に、着信者側が、電話にでられない状況を発信者側にメールにて通知することが可能となるため、発信者側は、着信者側が電話にでられない状況をメールにて把握することが可能となり、また、送信されたメールアドレスを用いて、着信者側への要件等の内容をメールにて返信することが可能となり、発信者側と着信者側とのその後の対応も迅速に行うことが可能となる。
【００６６】
また、着信者側が電話にでられない状況を、記憶部に設定登録されたメールアドレス以外の発信者に対して通知することがないため、不要な応答保留メッセージの通知を回避することが可能となる。
【実施例３】
【００６７】
次に、第３の実施例について説明する。
第３の実施例の移動体通信端末装置は、第１の実施例の移動体通信端末装置において、応答保留メッセージを発信者側に通知した後に、発信者側との通信回線を接続させた状態のままにして、発信者側から通知される要件を、移動体通信端末装置の具備する表示部に文字として表示させることを特徴とするものである。これにより、発信者側からの着信に対して利用者が応答できない場合でも、その場で、発信者側からの要件を利用者が把握することが可能となり、その後の、発信者側への対応も迅速に行うことが可能となる。以下、図９を参照しながら、第３の実施例の移動体通信端末装置における処理動作について説明する。
【００６８】
まず、第１の実施例と同様の処理（ステップＳ２０〜ステップＳ２７）が行われ、発信者側の通信装置に対して応答保留メッセージが通知されることとなる（ステップＳ４０〜ステップＳ４７）。これにより、発信者側が、着信者側の電話に出られない状況を把握することが可能となる。次に、発信者側は、着信者側に対する要件を音声にて着信者側の移動体通信端末装置に通知する。そして、着信者側の移動体通信端末装置は、発信者側の音声による要件を、文字データとして表示部（３）に表示させることとなる（ステップＳ４８）。
【００６９】
このとき、移動体通信端末装置の具備する音声処理部（５）が、発信者側から通知された音声データを文字データに変換し、該変換した文字データが表示部（３）に表示されることとなる。また、この発信者側から通知された要件は、記憶部（２）に記憶され、後で、利用者の操作部（１）からの操作により、表示部（３）に文字として表示させたり、スピーカ部（７）から音声データとして出力させたりすることも可能となる。
【００７０】
このように、着信者側が、電話に出られない状況を、発信者側に応答保留メッセージとして通知した後に、発信者側の音声による要件を、文字データとして移動体通信端末装置の具備する表示部（３）に表示させることで、発信者側は、着信者側の電話に出られない状況を把握することが可能となり、なお且つ、着信者側は、発信者側の着信に対応できなくても、発信者側の要件を把握することが可能となり、発信者側と着信者側との両者がその後の対応を迅速に行うことが可能となる。
【産業上の利用可能性】
【００７１】
本発明にかかる移動体通信端末装置および応答保留メッセージ送信プログラムは、自機に着信があった際に、着信応答することなく発信者側に対して応答保留メッセージを送信したい無線通信機等に適用可能である。
【図面の簡単な説明】
【００７２】
【図１】第１の実施例の移動体通信端末装置の概略構成を示す機能ブロック図である。
【図２】移動体通信端末装置の具備する記憶部に設定登録される応答保留メッセージの管理テーブルを示す図である。
【図３】移動体通信端末装置の具備する表示部に表示される表示例を示すイメージ図である。
【図４】音声にて応答保留メッセージを記憶部に設定登録する処理動作を示すフローチャートである。
【図５】文字にて応答保留メッセージを記憶部に設定登録する処理動作を示すフローチャートである。
【図６】第１の実施例の移動体通信端末装置を用いた応答保留メッセージの送信処理を示すフローチャートである。
【図７】移動体通信端末装置の具備する操作部の、特定の操作ボタン（通話開始キー）の一例を示す概略構成を示す図である。
【図８】第２の実施例の移動体通信端末装置を用いた応答保留メッセージの送信処理を示すフローチャートである。
【図９】第３の実施例の移動体通信端末装置を用いた応答保留メッセージの送信処理を示すフローチャートである。
【符号の説明】
【００７３】
１    操作部
２    記憶部
３    表示部
４    制御部
５    音声処理部
６    マイク
７    スピーカ部
８    無線部
９    無線アンテナ
【図１】
2005039750.tif 000003
【図２】
2005039750.tif 000004
【図３】
2005039750.tif 000005
【図４】
2005039750.tif 000006
【図５】
2005039750.tif 000007
【図６】
2005039750.tif 000008
【図７】
2005039750.tif 000009
【図８】
2005039750.tif 000010
【図９】
2005039750.tif 000011